(57)【要約】  本開示の特定の態様は、接続においてベアラを選択的にアクティベートするための方法および装置に関する。例示的な方法は、一般に、ネットワークと通信するために１つまたは複数の無線ベアラを構成することと、１つまたは複数の無線ベアラのうちの少なくとも１つの無線ベアラに関連付けられたデータが送信される必要があると決定することと、少なくとも１つの無線ベアラに関連付けられたデータが送信される必要があるとの決定に基づいて、少なくとも１つの無線ベアラを選択的にアクティベートすることと、少なくとも１つのアクティベートされた無線ベアラ上でデータを送信することと、を含む。
2020511862.tif 000002
【特許請求の範囲】
【請求項１】
ネットワークにおける通信の方法であって、
前記ネットワークと通信するために１つまたは複数の無線ベアラを構成することと、
前記１つまたは複数の無線ベアラのうちの少なくとも１つの無線ベアラに関連付けられたデータが送信される必要があると決定することと、
前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することと
を備える、方法。
【請求項２】
前記少なくとも１つの無線ベアラを選択的にアクティベートすることは、送信される必要があるデータを有するそれらの無線ベアラのみをアクティベートすることを備える、請求項１に記載の方法。
【請求項３】
複数のパラメータに基づいて、前記少なくとも１つのアクティベートされた無線ベアラをデアクティベートすることをさらに備える、請求項１に記載の方法。
【請求項４】
前記複数のパラメータは、少なくとも、接続モードＤＲＸ（ＣＤＲＸ）パラメータ、無線ベアラリリースタイマ、および無線リソース制御（ＲＲＣ）接続リリースタイマを含む、請求項３に記載の方法。
【請求項５】
前記ＣＤＲＸパラメータ、無線ベアラリリースタイマ、並びに無線ベアラおよびＲＲＣ接続リリースタイマは、異なる無線ベアラで異なる、請求項４に記載の方法。
【請求項６】
前記少なくとも１つのアクティベートされた無線ベアラをデアクティベートすることは、一旦デアクティベートされた、前記少なくとも１つのアクティベートされた無線ベアラに関するコンテキストをリリースすることなく行われる、請求項３に記載の方法。
【請求項７】
前記少なくとも１つの無線ベアラに関連付けられたデータが送信される必要があると決定することは、前記ネットワークから受信したシグナリングに基づく、請求項１に記載の方法。
【請求項８】
前記少なくとも１つの無線ベアラを選択的にアクティベートすることは、前記少なくとも１つの無線ベアラをアクティベートする前記必要性を示すシグナリングを前記ネットワークに送信することを備える、請求項１に記載の方法。
【請求項９】
前記少なくとも１つの無線ベアラを選択的にアクティベートすることは、前記少なくとも１つの無線ベアラがアクティベートされることを可能にするコンファメーションを前記ネットワークから受信することをさらに備える、請求項８に記載の方法。
【請求項１０】
前記シグナリングは、メディアアクセス制御（ＭＡＣ）エレメントを備える、請求項８に記載の方法。
【請求項１１】
前記シグナリングは、前記少なくとも１つの無線ベアラのためのスケジューリング要求を備える、請求項８に記載の方法。
【請求項１２】
前記少なくとも１つの無線ベアラを前記選択的にアクティベートすることは、
前記少なくとも１つの無線ベアラをアクティベートすることを前記ＵＥに指示するシグナリングを前記ネットワークから受信することと、
前記受信されたシグナリングにさらに基づいて、前記少なくとも１つの無線ベアラを選択的にアクティベートすることと
を備える、請求項１に記載の方法。
【請求項１３】
前記シグナリングは、物理ダウンリンク制御チャネル（ＰＤＣＣＨ）上で受信される、請求項１２に記載の方法。
【請求項１４】
前記シグナリングは、前記少なくとも１つの無線ベアラをアクティベートするための特定のインジケーション、または前記少なくとも１つの無線ベアラのためのスケジューリング許可のうちの１つを備える、請求項１２に記載の方法。
【請求項１５】
前記少なくとも１つの無線ベアラを前記選択的にアクティベートすることは、
前記少なくとも１つの無線ベアラに関連付けられたステータスレポートを送信することを備え、前記ステータスレポートは、パケットデータコンバージェンスプロトコル（ＰＤＣＰ）メッセージ、または無線リンク接続（ＲＬＣ）アクティベートベアラメッセージのうちの１つを備える、
請求項１に記載の方法。
【請求項１６】
前記ステータスレポートは、少なくとも１つの無線ベアラ上で送信される、請求項１５に記載の方法。
【請求項１７】
前記少なくとも１つの無線ベアラのためのサービス品質（ＱｏＳ）またはサービスグレード（ＧｏＳ）割り当てのうちの少なくとも１つを受信することをさらに備え、前記ＱｏＳまたはＧｏＳ割り当ては、前記少なくとも１つのアクティベートされた無線ベアラ上のダウンリンクトラフィックおよびアップリンクトラフィックに関する保証されたビットレート、前記少なくとも１つのアクティベートされた無線ベアラ上のダウンリンクトラフィックおよびアップリンクトラフィックに関する遅延、または前記少なくとも１つのアクティベートされた無線ベアラに関するダウンリンクおよびアップリンク上のピークエラーレート（ＰＥＲ）のうちの少なくとも１つのインジケーションを備える、請求項１に記載の方法。
【請求項１８】
ネットワークにおける通信の方法であって、
前記ネットワークとの通信のためにユーザ機器（ＵＥ）において１つまたは複数の無線ベアラを構成することと、
前記１つまたは複数の無線ベアラのうちの少なくとも１つの無線ベアラに関連付けられたデータが送信される必要があると決定することと、
前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することまたは受信することのうちの少なくとも１つと
を備える、方法。
【請求項１９】
前記少なくとも１つの無線ベアラを選択的にアクティベートすることは、送信される必要があるデータを有するそれらの無線ベアラのみをアクティベートすることを備える、請求項１８に記載の方法。
【請求項２０】
無線ベアラを選択的にデアクティベートするための複数のパラメータを決定することをさらに備える、請求項１８に記載の方法。
【請求項２１】
前記複数のパラメータは、少なくとも、接続モードＤＲＸ（ＣＤＲＸ）パラメータ、無線ベアラリリースタイマ、および無線リソース制御（ＲＲＣ）接続リリースタイマを含む、請求項２０に記載の方法。
【請求項２２】
前記ＣＤＲＸパラメータ、無線ベアラリリースタイマ、およびＲＲＣ接続リリースタイマは、異なる無線ベアラで異なる、請求項２１に記載の方法。
【請求項２３】
前記複数のパラメータを示す情報を前記ＵＥに送信することをさらに備える、請求項２０に記載の方法。
【請求項２４】
前記少なくとも１つの無線ベアラに関連付けられたデータが送信される必要があると決定することは、前記ＵＥから受信したシグナリングに基づく、請求項１８に記載の方法。
【請求項２５】
前記少なくとも１つの無線ベアラを選択的にアクティベートすることは、
前記少なくとも１つの無線ベアラをアクティベートする前記必要性を示すシグナリングを前記ＵＥから受信することと
を備える、請求項１８に記載の方法。
【請求項２６】
前記少なくとも１つの無線ベアラを選択的にアクティベートすることは、前記少なくとも１つの無線ベアラがアクティベートされることを可能にするコンファメーションを前記ＵＥに送信することをさらに備える、請求項２５に記載の方法。
【請求項２７】
前記シグナリングは、メディアアクセス制御（ＭＡＣ）エレメントを備える、請求項２５に記載の方法。
【請求項２８】
前記シグナリングは、前記少なくとも１つの無線ベアラのためのスケジューリング要求を備える、請求項２５に記載の方法。
【請求項２９】
前記少なくとも１つの無線ベアラを前記選択的にアクティベートすることは、
前記少なくとも１つの無線ベアラをアクティベートするためのシグナリングを前記ＵＥに送信することと、
前記送信されたシグナリングにさらに基づいて、前記少なくとも１つの無線ベアラを選択的にアクティベートすることと
を備える、請求項１８に記載の方法。
【請求項３０】
前記シグナリングは、物理ダウンリンク制御チャネル（ＰＤＣＣＨ）上で送信される、請求項２９に記載の方法。
【請求項３１】
前記シグナリングは、前記少なくとも１つの無線ベアラをアクティベートするための特定のインジケーション、または前記少なくとも１つの無線ベアラのためのスケジューリング許可のうちの１つを備える、請求項２９に記載の方法。
【請求項３２】
前記少なくとも１つの無線ベアラを前記選択的にアクティベートすることは、
前記少なくとも１つの無線ベアラに関連付けられたステータスレポートを受信することを備え、前記ステータスレポートは、パケットデータコンバージェンスプロトコル（ＰＤＣＰ）メッセージ、または無線リンク接続（ＲＬＣ）アクティベートベアラメッセージのうちの１つを備える、
請求項１８に記載の方法。
【請求項３３】
前記ステータスレポートは、少なくとも１つの無線ベアラ上で受信される、請求項３２に記載の方法。
【請求項３４】
前記少なくとも１つの無線ベアラに関連付けられたデータが送信される必要があると決定することは、前記少なくとも１つの無線ベアラに関連付けられた前記データをいつ受信するかを前記ＵＥに通知する情報を前記ＵＥに送信することを備え、
前記少なくとも１つの無線ベアラを選択的にアクティベートすることは、前記少なくとも１つの無線ベアラをアクティベートすることを前記ＵＥに指示するシグナリングを前記ＵＥに送信することを備える、
請求項１８に記載の方法。
【請求項３５】
前記シグナリングは、メディアアクセス制御（ＭＡＣ）エレメントを備える、請求項３４に記載の方法。
【請求項３６】
前記少なくとも１つのアクティベートされた無線ベアラのためのサービス品質（ＱｏＳ）またはサービスグレード（ＧｏＳ）割り当てのうちの少なくとも１つを決定することをさらに備え、前記ＱｏＳおよびＧｏＳ割り当ては、前記少なくとも１つのアクティベートされた無線ベアラ上のダウンリンクトラフィックおよびアップリンクトラフィックに関する保証されたビットレート、前記少なくとも１つのアクティベートされた無線ベアラ上のダウンリンクトラフィックおよびアップリンクトラフィックに関する遅延、または少なくとも１つのアクティベートされた無線ベアラに関するダウンリンクおよびアップリンク上のピークエラーレート（ＰＥＲ）のうちの少なくとも１つのインジケーションを備える、請求項１８に記載の方法。
【請求項３７】
前記ＱｏＳまたはＧｏＳ割り当てを前記ＵＥに送信することをさらに備える、請求項３６に記載の方法。
【請求項３８】
ネットワークにおける通信のための装置であって、
前記ネットワークと通信するために１つまたは複数の無線ベアラを構成することと、
前記１つまたは複数の無線ベアラのうちの少なくとも１つの無線ベアラに関連付けられたデータが送信される必要があると決定することと、
前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することと
を行うように構成された少なくとも１つのプロセッサと、
前記少なくとも１つのプロセッサに結合されたメモリと
を備える、装置。
【請求項３９】
ネットワークにおける通信のための装置であって、
前記ネットワークとの通信のためにユーザ機器（ＵＥ）において１つまたは複数の無線ベアラを構成することと、
前記１つまたは複数の無線ベアラのうちの少なくとも１つの無線ベアラに関連付けられたデータが送信される必要があると決定することと、
前記少なくとも１つの無線ベアラに関連付けられた前記データが送信される必要があるとの前記決定に基づいて、前記少なくとも１つの無線ベアラを選択的にアクティベートすることと、
前記少なくとも１つのアクティベートされた無線ベアラ上で前記データを送信することまたは受信することのうちの少なくとも１つと
を行うように構成された少なくとも１つのプロセッサと、
前記少なくとも１つのプロセッサに結合されたメモリと
を備える、装置。
【発明の詳細な説明】
【関連出願の相互参照】
【０００１】
[0001]  本出願は、２０１７年３月２４日付で出願された米国仮特許出願第６２／４７６，５９３号、および２０１８年３月１４日付で出願された米国特許出願第１５／９２１，４６７号の利益を主張し、それら両方は、その全体が参照により本明細書に組み込まれている。
【技術分野】
【０００２】
[0002]  本願は、一般に、通信システムに関し、より具体的には、接続においてベアラを制限するための方法および装置に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を利用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  いくつかの例では、ワイヤレス多元接続通信システムは、いくつかの基地局を含み得、各々が、別名ユーザ機器（ＵＥ）として知られている複数の通信デバイスのための通信を同時にサポートする。ＬＴＥまたはＬＴＥ−Ａネットワークでは、１つまたは複数の基地局のセットが、ｅノードＢ（ｅＮＢ）を定義し得る。他の例では（例えば、次世代または５Ｇネットワークでは）、ワイヤレス多元接続通信システムは、いくつかの集約ユニット（ＣＵ：central units）（例えば、集約ノード（ＣＮ：central nodes）、アクセスノードコントローラ（ＡＮＣ：access node controllers）など）と通信状態にある、いくつかの分散ユニット（ＤＵ：distributed units）（例えば、エッジユニット（ＥＵ：edge units）、エッジノード（ＥＮ：edge nodes）、無線ヘッド（ＲＨ：radio heads）、スマート無線ヘッド（ＳＲＨ：smart radio heads）、送受信ポイント（ＴＲＰ：transmission reception points）など）を含み得、ここで、集約ユニットと通信状態にある１つまたは複数の分散ユニットのセットは、アクセスノード（例えば、新規の無線基地局（ＮＲ ＢＳ：new radio base station）、新規の無線ノードＢ（ＮＲ ＮＢ：new radio node-B）、ネットワークノード、５Ｇ ＮＢ、ｇＮＢなど）を定義し得る。基地局またはＤＵは、（例えば、基地局からまたはＵＥへの送信のための）ダウンリンクチャネルおよび（例えば、ＵＥから基地局または分散ユニットへの送信のための）アップリンクチャネル上でＵＥのセットと通信し得る。
【０００５】
[0005]  これらの多元接続技術は、異なるワイヤレスデバイスが都市、国家、地域、さらには地球規模で通信することを可能にする共通プロトコルを提供するために様々な電気通信規格において採用されている。新興の電気通信規格の例は、新規の無線（ＮＲ）、例えば５Ｇ無線アクセスである。ＮＲは、第３世代パートナーシッププロジェクト（３ＧＰＰ（登録商標）：Third Generation Partnership Project）によって公表されたＬＴＥモバイル規格の拡張セットである。それは、ダウンリンク（ＤＬ）上およびアップリンク（ＵＬ）上で、並びに、ビームフォーミング、多入力多出力（ＭＩＭＯ）アンテナ技術、およびキャリアアグリゲーションをサポートするサイクリックプレフィクス（ＣＰ：cyclic prefix）を用いるＯＦＤＭＡを使用して、スペクトル効率を改善すること、コストを下げること、サービスを改善すること、新たなスペクトルを利用すること、および他のオープン規格とより良好に統合することによって、モバイルブロードバンドインターネットアクセスをより良好にサポートするように設計されている。
【０００６】
[0006]  しかしながら、モバイルブロードバンドアクセスに対する需要が増加し続けるにつれて、ＮＲ技術のさらなる改善が必要である。好ましくは、これらの改善は、他の多元接続技術と、これらの技術を採用する電気通信規格とに適用可能であるべきである。
【発明の概要】
【０００７】
[0007]  本開示のシステム、方法、およびデバイスは各々、いくつかの態様を有し、これらのうちのいずれも、その望ましい属性を単独で担うものではない。下記の請求項によって示される本開示の範囲を限定することなく、いくつかの特徴が、ここで簡潔に説明される。この説明を考慮した後、また、特に「詳細な説明」と題するセクションを読んだ後、当業者であれば、本開示の特徴が、ワイヤレスネットワークにおけるアクセスポイントと局の間の改善された通信を含む利点をどのように提供するかを理解するだろう。
【０００８】
[0008]本開示の特定の態様は、一般に、接続においてベアラを制限するための方法および装置に関する。
【０００９】
[0009]  本開示のいくつかの態様は、ユーザ機器（ＵＥ）による通信のための方法を提供する。方法は、一般に、ネットワークと通信するために１つまたは複数の無線ベアラを構成することと、１つまたは複数の無線ベアラのうちの少なくとも１つの無線ベアラに関連付けられたデータが送信される必要があると決定することと、少なくとも１つの無線ベアラに関連付けられたデータが送信される必要があるとの決定に基づいて、少なくとも１つの無線ベアラを選択的にアクティベートすることと、少なくとも１つのアクティベートされた無線ベアラ上でデータを送信することと、を含む。
【００１０】
[0010]  本開示のいくつかの態様は、ユーザ機器（ＵＥ）による通信のための装置を提供する。装置は、一般に、ネットワークと通信するために１つまたは複数の無線ベアラを構成することと、１つまたは複数の無線ベアラのうちの少なくとも１つの無線ベアラに関連付けられたデータが送信される必要があると決定することと、少なくとも１つの無線ベアラに関連付けられたデータが送信される必要があるとの決定に基づいて、少なくとも１つの無線ベアラを選択的にアクティベートすることと、少なくとも１つのアクティベートされた無線ベアラ上でデータを送信することと、を行うように構成された少なくとも１つのプロセッサを含む。
【００１１】
[0011]  本開示のいくつかの態様は、ユーザ機器（ＵＥ）による通信のための装置を提供する。装置は、一般に、ネットワークと通信するために１つまたは複数の無線ベアラを構成するための手段と、１つまたは複数の無線ベアラのうちの少なくとも１つの無線ベアラに関連付けられたデータが送信される必要があると決定するための手段と、少なくとも１つの無線ベアラに関連付けられたデータが送信される必要があるとの決定に基づいて、少なくとも１つの無線ベアラを選択的にアクティベートするための手段と、少なくとも１つのアクティベートされた無線ベアラ上でデータを送信するための手段と、を含む。
【００１２】
[0012]  本開示の特定の態様は、ユーザ機器（ＵＥ）によって通信するための非一時的コンピュータ可読媒体を提供する。非一時的コンピュータ可読媒体は、一般に、少なくとも１つのプロセッサによって実行されると、ネットワークと通信するために１つまたは複数の無線ベアラを構成することと、１つまたは複数の無線ベアラのうちの少なくとも１つの無線ベアラに関連付けられたデータが送信される必要があると決定することと、少なくとも１つの無線ベアラに関連付けられたデータが送信される必要があるとの決定に基づいて、少なくとも１つの無線ベアラを選択的にアクティベートすることと、少なくとも１つのアクティベートされた無線ベアラ上でデータを送信することと、を行うための少なくとも１つのプロセッサを構成する命令を含む。
【００１３】
[0013]  本開示のいくつかの態様は、基地局（ＢＳ）によるワイヤレス通信のための方法を提供する。方法は、一般に、ネットワークとの通信のためにユーザ機器（ＵＥ）において１つまたは複数の無線ベアラを構成することと、１つまたは複数の無線ベアラのうちの少なくとも１つの無線ベアラに関連付けられたデータが送信される必要があると決定することと、少なくとも１つの無線ベアラに関連付けられたデータが送信される必要があるとの決定に基づいて、少なくとも１つの無線ベアラを選択的にアクティベートすることと、少なくとも１つのアクティベートされた無線ベアラ上でデータを送信することまたは受信することのうちの少なくとも１つと、を含む。
【００１４】
[0014]  本開示のいくつかの態様は、ユーザ機器（ＵＥ）による通信のための装置を提供する。装置は、一般に、ネットワークとの通信のためにユーザ機器（ＵＥ）において１つまたは複数の無線ベアラを構成することと、１つまたは複数の無線ベアラのうちの少なくとも１つの無線ベアラに関連付けられたデータが送信される必要があると決定することと、少なくとも１つの無線ベアラに関連付けられたデータが送信される必要があるとの決定に基づいて、少なくとも１つの無線ベアラを選択的にアクティベートすることと、少なくとも１つのアクティベートされた無線ベアラ上でデータを送信することまたは受信することのうちの少なくとも１つと、を行うように構成された少なくとも１つのプロセッサを含む。
【００１５】
[0015]  本開示のいくつかの態様は、ユーザ機器（ＵＥ）による通信のための装置を提供する。装置は、一般に、ネットワークとの通信のためにユーザ機器（ＵＥ）において１つまたは複数の無線ベアラを構成するための手段と、１つまたは複数の無線ベアラのうちの少なくとも１つの無線ベアラに関連付けられたデータが送信される必要があると決定するための手段と、少なくとも１つの無線ベアラに関連付けられたデータが送信される必要があるとの決定に基づいて、少なくとも１つの無線ベアラを選択的にアクティベートするための手段と、少なくとも１つのアクティベートされた無線ベアラ上でデータを送信するための手段または受信するための手段のうちの少なくとも１つと、を含む。
【００１６】
[0016]  本開示の特定の態様は、ユーザ機器（ＵＥ）によって通信するための非一時的コンピュータ可読媒体を提供する。非一時的コンピュータ可読媒体は、一般に、少なくとも１つのプロセッサによって実行されると、ネットワークとの通信のためにユーザ機器（ＵＥ）において１つまたは複数の無線ベアラを構成することと、１つまたは複数の無線ベアラのうちの少なくとも１つの無線ベアラに関連付けられたデータが送信される必要があると決定することと、少なくとも１つの無線ベアラに関連付けられたデータが送信される必要があるとの決定に基づいて、少なくとも１つの無線ベアラを選択的にアクティベートすることと、少なくとも１つのアクティベートされた無線ベアラ上でデータを送信することまたは受信することのうちの少なくとも１つと、を行うための少なくとも１つのプロセッサを構成する命令を含む。
【００１７】
[0017]  これら態様は概して、添付の図面を参照しておよびそれらによって例示されるように本明細書で実質的に説明される、方法、装置、システム、コンピュータ可読媒体、および処理システムを含む。
【００１８】
[0018]  上記のおよび関係する目的を達成するために、１つまたは複数の態様は、以下で十分に説明され、特に特許請求の範囲で指摘される特徴を備える。以下の説明および添付の図面に、１つまたは複数の態様のうちの特定の例示的な特徴を詳細に記載する。しかしながら、これらの特徴は、様々な態様の原理を採用することができる様々な態様のうちのほんのいくつかを示すものであり、この説明は、全てのそのような態様およびそれらの均等物を含むものとする。
【図面の簡単な説明】
【００１９】
[0019]  本開示の上述された特徴が詳細に理解されることができるように、上記では簡潔に概要を述べたより詳細な説明が、態様を参照して行われ得、そのいくつかは、添付の図面において例示される。しかしながら、添付された図面は、本開示のある特定の典型的な態様のみを例示しており、したがって、その説明が他の同等に効果的な態様を認め得ることから、その範囲を限定していると考慮されるべきではないことに留意されたい。
【図１】[0020]  図１は、本開示の特定の態様にしたがった、例示的な電気通信システムを概念的に図示するブロック図である。
【図２】[0021]  図２は、本開示の特定の態様にしたがった、分散型ＲＡＮの例示的な論理アーキテクチャを図示するブロック図である。
【図３】[0022]  図３は、本開示の特定の態様にしたがった、分散型ＲＡＮの例示的な物理アーキテクチャを図示する図である。
【図４】[0023]  図４は、本開示の特定の態様にしたがった、例示的なＢＳおよびユーザ機器（ＵＥ）の設計を概念的に図示するブロック図である。
【図５】[0024]  図５は、本開示の特定の態様にしたがった、通信プロトコルスタックを実装するための例を示す図である。
【図６】[0025]  図６は、本開示の特定の態様にしたがった、ＤＬセントリックサブフレーム（DL-centric subframe）の例を図示する。
【図７】[0026]  図７は、本開示の特定の態様にしたがった、ＵＬセントリックサブフレーム（UL-centric subframe）の例を図示する。
【図８】[0027]  図８は、本開示の特定の態様にしたがった、ユーザ機器によるワイヤレス通信のための例示的な動作を図示する。
【図９】[0028]  図９は、本開示の特定の態様にしたがった、基地局によるワイヤレス通信のための例示的な動作を図示する。
【図１０】[0029]  図１０は、本開示の特定の態様にしたがった、ベアラを選択的にアクティベートおよびデアクティベートすることを図示するコールフロー図である。
【００２０】
[0030]  理解を容易にするため、可能な場合、図面に共通している同一の要素を指定するために同一の参照番号が使用されている。１つの態様で開示された要素は、具体的な説明がなくとも、他の態様において効果的に利用され得ることが予期される。
【詳細な説明】
【００２１】
[0031]  本開示の態様は、新規の無線（ＮＲ：new radio）（新規の無線アクセス技術または５Ｇ技術）のための、装置、方法、処理システム、およびコンピュータ可読媒体を提供する。
【００２２】
[0032]  ５Ｇは、（例えば、８０ＭＨｚを超える）広帯域幅を対象とする拡張型モバイルブロードバンド（ｅＭＢＢ）、高キャリア周波数（例えば、６０ＧＨｚ）を対象とするミリ波（ｍｍＷ）、後方互換性のないＭＴＣ技法を対象とする大規模なＭＴＣ（ｍＭＴＣ）、および／または高信頼性の低レイテンシ通信（ＵＲＬＬＣ）を対象とするミッションクリティカル（mission critical）などの、様々なワイヤレス通信サービスをサポートし得る。これらのサービスは、レイテンシおよび信頼性要求を含み得る。これらのサービスはまた、それぞれのサービス品質（ＱｏＳ）要件を満たすための異なる送信時間間隔（ＴＴＩ）を有し得る。加えて、これらのサービスは、同じサブフレーム中に共存し得る。
【００２３】
[0033]  本開示の態様は、接続においてベアラを制限することに関する。例えば、本開示の態様は、アクティブなトラフィックタイプに基づいて、ベアラを選択的にアクティベートおよびデアクティベートするための技法を提示する。いくつかのケースでは、ベアラがデアクティベートされると、そのベアラは、そのベアラのためのコンテキストをリリースすることなくデアクティベートされる。
【００２４】
[0034]  以下の説明は例を提供するものであり、特許請求の範囲に記載された範囲、適用可能性、または、例を限定するものではない。本開示の範囲から逸脱することなく、説明される要素の機能および配列において変更がなされ得る。様々な例は、必要に応じて、様々なプロシージャまたはコンポーネントを省略、代用、あるいは追加し得る。例えば、説明される方法は、説明されるものとは異なる順序で行われ得、また、様々なステップが追加、省略、または組み合わせられ得る。また、いくつかの例に関して説明された特徴は、いくつかの他の例で組み合わせられ得る。例えば、本明細書に記載された任意の数の態様を使用して、装置が実装され得るか、または方法が実施され得る。加えて、本開示の範囲は、本明細書に記載される開示の様々な態様に加えて、または本開示の様々な態様の他に、他の構造、機能、または構造および機能を使用して実施されるそのような装置または方法をカバーすることを意図している。本明細書で開示される開示のいずれの態様も、請求項の１つまたは複数の要素によって具現化され得ることが理解されるべきである。「例示的な」という用語は、本明細書で「例、実例、または例示としての役割を果たす」という意味で用いられる。「例示的な」ものとして本明細書で説明される任意の態様は、必ずしも、他の態様よりも好ましいまたは有利であると解釈されるべきでない。
【００２５】
[0035]  本明細書で説明される技法は、ＬＴＥ、ＣＤＭＡ、ＴＤＭＡ、ＦＤＭＡ、ＯＦＤＭＡ、ＳＣ−ＦＤＭＡおよび他のネットワークなどの様々なワイヤレス通信ネットワークに使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、ワイドバンドＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、ＮＲ（例えば、５Ｇ ＲＡ）発展型ＵＴＲＡ（Ｅ−ＵＴＲＡ）、ウルトラモバイルブロードバンド（ＵＭＢ：Ultra Mobile Broadband）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、フラッシュＯＦＤＭ（登録商標）などのような無線技術を実装し得る。ＵＴＲＡおよびＥ−ＵＴＲＡは、ユニバーサルモバイル電気通信システム（ＵＭＴＳ）の一部である。ＮＲは、５Ｇ技術フォーラム（５ＧＴＦ：5G Technology Forum）とともに開発中の新興のワイヤレス通信技術である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の組織からの文書で説明されている。ｃｄｍａ２０００およびＵＭＢは、「第３世代パートナーシッププロジェクト２」（３ＧＰＰ２）という名称の組織からの文書で説明されている。本明細書で説明する技法は、上述されたワイヤレスネットワークおよび無線技術、並びに他のワイヤレスネットワークおよび無線技術に使用され得る。明確化のために、態様が３Ｇおよび／または４Ｇのワイヤレス技術に共通して関連付けられた専門用語を使用して本明細書で説明され得るが、一方、本開示の態様は、ＮＲ技術を含む５Ｇ以降などの他の世代をベースとした通信システムにおいて適用されることができる。  
【００２６】
＜例示的なワイヤレス通信システム＞
[0036]  図１は、新規の無線（ＮＲ）または５Ｇネットワークなどの、例となるワイヤレスネットワーク１００を図示しており、本開示の態様は、下記にさらに詳細に説明されるように、例えば、接続においてベアラを制限する（例えば、アクティブなトラフィックタイプに基づいて、ベアラを選択的にアクティベートおよびデアクティベートする）ために行われ得る。
【００２７】
[0037]  図１に図示されるように、ワイヤレスネットワーク１００は、いくつかのＢＳ１１０および他のネットワークエンティティを含み得る。ＢＳは、ＵＥと通信する局であり得る。各ＢＳ１１０は、特定の地理的エリアに対して通信カバレッジを提供し得る。３ＧＰＰでは、「セル」という用語は、この用語が使用されるコンテキストに応じて、ノードＢのカバレッジエリアおよび／またはこのカバレッジエリアにサービスしているノードＢサブシステムを指し得る。ＮＲシステムでは、「セル」およびｅＮＢ、ノードＢ、５Ｇ ＮＢ、ＡＰ、ＮＲ ＢＳ、ＮＲ ＢＳ、またはＴＲＰは、置き換え可能であり得る。いくつかの例では、セルは、必ずしも静的である必要はなく、セルの地理的エリアは、モバイル基地局のロケーションにしたがって移動し得る。いくつかの例では、基地局は、任意の適切なトランスポートネットワークを使用して、直接的な物理接続、仮想ネットワーク、または同様のものなどのバックホールインターフェースの様々なタイプを通じて、ワイヤレスネットワーク１００中で互いとおよび／または１つまたは複数の他の基地局あるいはネットワークノード（図示せず）と相互接続し得る。
【００２８】
[0038]  一般に、任意の数のワイヤレスネットワークが、所与の地理的エリアに配置され得る。各ワイヤレスネットワークは、特定の無線アクセス技術（ＲＡＴ）をサポートし得、１つまたは複数の周波数上で動作し得る。ＲＡＴはまた、無線技術、エアインターフェースなどとも呼ばれ得る。周波数はまた、キャリア、周波数チャネルなどとも呼ばれ得る。各周波数は、異なるＲＡＴのワイヤレスネットワーク間の干渉を避けるために、所与の地理的エリアにおいて単一のＲＡＴをサポートし得る。いくつかのケースでは、ＮＲまたは５Ｇ ＲＡＴネットワークが展開され得る。
【００２９】
[0039]  ＢＳは、マクロセル、ピコセル、フェムトセル、および／または他のタイプのセルに通信カバレッジを提供し得る。マクロセルは、比較的大きい地理的エリア（例えば、半径数キロメートル）をカバーし、サービスに加入しているＵＥによる無制限アクセスを可能にし得る。ピコセルは、比較的小さい地理的エリアをカバーし、サービスに加入しているＵＥによる無制限アクセスを可能にし得る。フェムトセルは、比較的小さい地理的エリア（例えば、自宅）をカバーし得、フェムトセルとの関連付けを有するＵＥ（例えば、限定加入者グループ（ＣＳＧ：Closed Subscriber Group）中のＵＥ、自宅内のユーザのためのＵＥなど）による制限されたアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示す例では、ＢＳ１１０ａ、１１０ｂ、および１１０ｃは、それぞれ、マクロセル１０２ａ、１０２ｂ、および１０２ｃのためのマクロＢＳであり得る。ＢＳ１１０ｘは、ピコセル１０２ｘのためのピコＢＳノードＢであり得る。ＢＳ１１０ｙおよび１１０ｚは、それぞれ、フェムトセル１０２ｙおよび１０２ｚのためのフェムトＢＳであり得る。ＢＳは、１つまたは複数の（例えば、３つの）セルをサポートし得る。
【００３０】
[0040]  ワイヤレスネットワーク１００はまた、中継局を含み得る。中継局は、アップストリーム局（例えば、ＢＳまたはＵＥ）からデータおよび／または他の情報の送信を受信し、そのデータおよび／または他の情報の送信をダウンストリーム局（例えば、ＵＥまたはＢＳ）に送る局である。中継局はまた、他のＵＥに対する送信を中継するＵＥであり得る。図１に示される例では、中継局１１０ｒは、ＢＳ１１０ａとＵＥ１２０ｒとの間の通信を容易にするために、ＢＳ１１０ａおよびＵＥ１２０ｒと通信し得る。中継局はまた、リレーＢＳ、リレーなどと呼ばれることもある。
【００３１】
[0041]  ワイヤレスネットワーク１００は、様々なタイプのＢＳ、例えば、マクロＢＳ、ピコＢＳ、フェムトＢＳ、リレーなどを含む異種ネットワーク（ＨｅｔＮｅｔ）であり得る。これらの様々なタイプのＢＳは、様々な送信電力レベル、様々なカバレッジエリア、およびワイヤレスネットワーク１００中の干渉に対する様々な影響を有し得る。例えば、マクロＢＳは、高い送信電力レベル（例えば、２０ワット）を有し得るが、ピコＢＳ、フェムトＢＳ、およびリレーは、より低い送信電力レベル（例えば、１ワット）を有し得る。
【００３２】
[0042]  ワイヤレスネットワーク１００は、同期動作または非同期動作をサポートし得る。同期動作に関して、ＢＳは同様のフレームタイミングを有し得、異なるＢＳからの送信は時間的にほぼアラインされ得る。非同期動作に関して、ＢＳは異なるフレームタイミングを有し得、異なるＢＳからの送信は時間的にアラインされないことがある。本明細書で説明する技法は、同期動作と非同期動作の両方のために使用され得る。
【００３３】
[0043]  ネットワークコントローラ１３０は、ＢＳのセットに結合され、これらのＢＳために協調および制御を提供し得る。ネットワークコントローラ１３０は、バックホールを介してＢＳ１１０と通信し得る。ＢＳ１１０はまた、例えば、直接的に、あるいはワイヤレスバックホールまたはワイヤラインバックホールを介して間接的に、互いと通信し得る。
【００３４】
[0044]  ＵＥ１２０（例えば、１２０ｘ、１２０ｙなど）は、ワイヤレスネットワーク１００にわたって分散され得、各ＵＥは、固定式または移動式であり得る。ＵＥはまた、モバイル局、端末、アクセス端末、加入者局、局、加入者宅内機器（ＣＰＥ:Customer Premises Equipment）、セルラフォン、スマートフォン、パーソナルデジタルアシスタント（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲーミングデバイス、ネットブック、スマートブック、ウルトラブック、医療デバイスまたは医療機器、生体センサ／デバイス、例えばスマートウォッチ、スマート衣服、スマートメガネ、スマートリストバンド、スマートジュエリ（例えば、スマートリング、スマートブレスレットなど）のようなウェアラブルデバイス、エンターテイメントデバイス（例えば、音楽デバイス、ビデオデバイス、衛星ラジオなど）、車両コンポーネントまたはセンサ、スマートメータ／センサ、工業生産機器、全地球測位システムデバイスと呼ばれ得るか、あるいは、ワイヤレスまたはワイヤード媒体を介して通信するように構成された任意の他の適切なデバイスであり得る。いくつかのＵＥは、拡張されたまたはマシンタイプの通信（ＭＴＣ：machine-type communication）デバイス、または発展型ＭＴＣ（ｅＭＴＣ）デバイスと見なされ得る。ＭＴＣおよびｅＭＴＣ ＵＥは、例えば、ＢＳ、別のデバイス（例えば、リモートデバイス）、または何らかの他のエンティティと通信し得る、ロボット、ドローン、リモートデバイス、センサ、メータ、モニタ、ロケーションタグなどを含む。ワイヤレスノードは、例えば、ワイヤードまたはワイヤレス通信リンクを介した、ネットワーク（例えば、インターネットまたはセルラネットワークなどの広域ネットワーク）のための接続、またはネットワークへの接続を提供し得る。いくつかのＵＥは、ＩｏＴ（internet-of-things）デバイスと見なされ得る。
【００３５】
[0045]  図１では、両矢印付きの実線は、ＵＥと、ダウンリンクおよび／またはアップリンク上でそのＵＥをサービスするように指定されたＢＳであるサービングＢＳとの間の所望の送信を示す。両矢印付きの破線は、ＵＥとＢＳとの間の干渉送信を示す。
【００３６】
[0046]  特定のワイヤレスネットワーク（例えば、ＬＴＥ）は、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアは、データで変調され得る。概して、変調シンボルは、ＯＦＤＭでは周波数領域で、ＳＣ−ＦＤＭでは時間領域で送られる。隣接するサブキャリア間の間隔は、固定とすることができ得、サブキャリアの総数（Ｋ）は、システム帯域幅に依存し得る。例えば、サブキャリアの間隔は、１５ｋＨｚであり得、（「リソースブロック」と呼ばれる）最小リソース割り振りは１２個のサブキャリア（または１８０ｋＨｚ）であり得る。したがって、公称ＦＦＴサイズは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドにも区分され得る。例えば、サブバンドは、１．０８ＭＨｚ（すなわち、６リソースブロック）をカバーし得、システム帯域幅の１．２５、２．５、５、１０、または２０ＭＨｚに対してそれぞれ、１、２、４、８、または１６個のサブバンドが存在し得る。
【００３７】
[0047]  本明細書で説明される例の態様は、ＬＴＥ技術に関連付けられ得るが、一方、本開示の態様は、ＮＲなどの他のワイヤレス通信システムに適用可能であり得る。
【００３８】
[0048]  ＮＲは、アップリンクおよびダウンリンク上でＣＰを用いたＯＦＤＭを利用し得、ＴＤＤを使用する半二重動作のためのサポートを含み得る。１００ＭＨｚの単一のコンポーネントキャリア帯域幅がサポートされ得る。ＮＲリソースブロックは、０．１ｍｓの持続期間にわたって７５ｋＨｚのサブキャリア帯域幅を有する１２個のサブキャリアに及び得る。各無線フレームは、１０ｍｓの長さを有する５０個のサブフレームで構成され得る。したがって、各サブフレームは、０．２ｍｓの長さを有し得る。各サブフレームは、データ送信のためのリンク方向（すなわち、ＤＬまたはＵＬ）を示し得、各サブフレームのためのリンク方向が、動的に切り替えられ得る。各サブフレームは、ＤＬ／ＵＬデータ、並びに、ＤＬ／ＵＬ制御データを含み得る。ＮＲのためのＵＬおよびＤＬサブフレームは、図６および図７に関連して下記でより詳細に説明され得る。ビームフォーミングがサポートされ得、ビーム方向が動的に構成され得る。プリコーディングを用いたＭＩＭＯ送信もまたサポートされ得る。ＤＬにおけるＭＩＭＯ構成は、ＵＥごとに最大２ストリームおよび最大８ストリームのマルチレイヤＤＬ送信を有する、最大８個の送信アンテナをサポートし得る。ＵＥごとに最大２ストリームを有するマルチレイヤ送信がサポートされ得る。複数のセルのアグリゲーションは、最大８個のサービングセルを用いてサポートされ得る。代替的に、ＮＲは、ＯＦＤＭベース以外の、異なるエアインターフェースをサポートし得る。ＮＲネットワークは、ＣＵおよび／またはＤＵのようなエンティティを含み得る。
【００３９】
[0049]  いくつかの例では、エアインターフェースへのアクセスがスケジューリングされ得、ここで、スケジューリングエンティティ（例えば、基地局）は、そのサービスエリアまたはセル内のいくつかまたは全てのデバイスおよび機器間の通信のためにリソースを割り振る。本開示内において下記でさらに説明されるように、スケジューリングエンティティは、１つまたは複数の下位（subordinate）エンティティのためにリソースをスケジューリング、割り当て、再構成、およびリリースすることを担い得る。すなわち、スケジューリングされた通信について、下位エンティティは、スケジューリングエンティティによって割り振られたリソースを利用する。基地局は、スケジューリングエンティティとして機能し得る唯一のエンティティではない。すなわち、いくつかの例では、ＵＥがスケジューリングエンティティとして機能し得、１つまたは複数の下位エンティティ（例えば、１つまたは複数の他のＵＥ）のためにリソースをスケジューリングする。この例では、ＵＥは、スケジューリングエンティティとして機能しており、他のＵＥは、ワイヤレス通信のためにＵＥによってスケジューリングされたリソースを利用する。ＵＥは、ピア・ツー・ピア（Ｐ２Ｐ）ネットワーク中、および／またはメッシュネットワーク中のスケジューリングエンティティとして機能し得る。メッシュネットワークの例では、ＵＥは、オプションで、スケジューリングエンティティとの通信に加えて、互いと直接通信し得る。
【００４０】
[0050]  よって、時間−周波数リソースへのスケジューリングされたアクセスを用いた、並びにセルラ構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００４１】
[0051]  上述されるように、ＲＡＮは、ＣＵおよびＤＵを含み得る。ＮＲ ＢＳ（例えば、ｇＮＢ、５ＧノードＢ、ノードＢ、送受信ポイント（ＴＲＰ）、アクセスポイント（ＡＰ））は、１つまたは複数のＢＳに対応し得る。ＮＲセルは、アクセスセル（ＡＣｅｌｌ：access cells）またはデータオンリーセル（ＤＣｅｌｌ：data only cells）として構成されることができる。例えば、ＲＡＮ（例えば、集約ユニットまたは分散ユニット）は、セルを構成し得る。ＤＣｅｌｌは、キャリアアグリゲーションまたは二重接続のために使用されるセルであり得るが、初期アクセス、セル選択／再選択、またはハンドオーバのためには使用されない。いくつかのケースでは、ＤＣｅｌｌは、同期信号を送信しない可能性がある―いくつかのケースでは、ＤＣｅｌｌは、ＳＳを送信し得る。ＮＲ ＢＳは、セルタイプを示すダウンリンク信号をＵＥに送信し得る。セルタイプインジケーションに基づいて、ＵＥは、ＮＲ ＢＳと通信し得る。例えば、ＵＥは、ＮＲ ＢＳを決定して、示されたセルタイプに基づいて、セル選択、アクセス、ハンドオーバ、および／または測定（measurement）について考慮し得る。
【００４２】
[0052]  図２は、分散型無線アクセスネットワーク（ＲＡＮ）２００の例となる論理アーキテクチャを図示しており、図１に図示されるワイヤレス通信システム中で実装され得る。５Ｇアクセスノード２０６は、アクセスノードコントローラ（ＡＮＣ：access node controller）２０２を含み得る。ＡＮＣは、分散型ＲＡＮ２００の集約ユニット（ＣＵ）であり得る。次世代コアネットワーク（ＮＧ−ＣＮ）２０４へのバックホールインターフェースは、ＡＮＣにおいて終端し得る。隣接する次世代アクセスノード（ＮＧ−ＡＮ：neighboring next generation access nodes）へのバックホールインターフェースは、ＡＮＣにおいて終端し得る。ＡＮＣは、（ＢＳ、ＮＲ ＢＳ、ノードＢ、５Ｇ ＮＢ、ＡＰ、または何らかの他の用語でも呼ばれ得る）１つまたは複数のＴＲＰ２０８を含み得る。上述されるように、ＴＲＰは、「セル」と互換的に使用され得る。
【００４３】
[0053]  ＴＲＰ２０８は、ＤＵであり得る。ＴＲＰは、１つのＡＮＣ（ＡＮＣ２０２）または１つ以上のＡＮＣ（図示せず）に接続され得る。例えば、ＲＡＮ共有、サービスとしての無線（ＲａａＳ：radio as a service）、およびサービス固有ＡＮＤ展開（service specific AND deployments）について、ＴＲＰは、１より多いＡＮＣに接続され得る。ＴＲＰは、１つまたは複数のアンテナポートを含み得る。ＴＲＰは、個別に（例えば、動的選択）または共同で（例えば、共同送信）ＵＥへのトラフィックをサービスするように構成され得る。
【００４４】
[0054]  ローカルアーキテクチャ２００は、フロントホール定義を例示するために使用され得る。そのアーキテクチャは、異なる展開タイプにわたってフロントホールする解決法をサポートすることを定義し得る。例えば、アーキテクチャは、送信ネットワーク能力（例えば、帯域幅、レイテンシ、および／またはジッタ）に基づき得る。
【００４５】
[0055]  アーキテクチャは、特徴および／またはコンポーネントをＬＴＥと共有し得る。複数の態様によると、次世代ＡＮ（ＮＧ−ＡＮ）２１０は、ＮＲとの二重接続をサポートし得る。ＮＧ−ＡＮは、ＬＴＥおよびＮＲのための共通フロントホールを共有し得る。
【００４６】
[0056]  アーキテクチャは、ＴＲＰ２０８間、或いはＴＲＰ２０８内（between and among）の協調を利用可能にし得る。例えば、協調は、ＡＮＣ２０２を介して１つのＴＲＰ内および／または複数のＴＲＰ間でプリセットされ得る。複数の態様にしたがって、ＴＲＰ間インターフェース（inter-TRP interface）が必要とされ得ない／存在し得ない。
【００４７】
[0057]  複数の態様によると、分割した論理機能の動的構成は、アーキテクチャ２００内に存在し得る。図５を参照してより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、メディアアクセス制御（ＭＡＣ）レイヤ、および物理（ＰＨＹ）レイヤは、ＤＵまたはＣＵ（例えば、それぞれ、ＴＲＰまたはＡＮＣ）において適切に配置され得る。ある特定の態様にしたがって、ＢＳは、集約ユニット（ＣＵ）（例えば、ＡＮＣ２０２）および／または１つまたは複数の分散型ユニット（例えば、１つまたは複数のＴＲＰ２０８）を含み得る。
【００４８】
[0058]  図３は、本開示の態様にしたがった、分散型ＲＡＮ３００の例示的な物理アーキテクチャを図示する。集中型コアネットワークユニット（Ｃ−ＣＵ）３０２は、コアネットワーク機能をホストし得る。Ｃ−ＣＵは、中央に配置され（centrally deployed）得る。Ｃ−ＣＵ機能は、ピーク容量を処理しようとして、（例えば、Ａｄｖａｎｃｅｄワイヤレスサービス（ＡＷＳ：advanced wireless services）に）オフロードされ得る。
【００４９】
[0059]  集中型ＲＡＮユニット（Ｃ−ＲＵ）３０４は、１つまたは複数のＡＮＣ機能をホストし得る。オプションで、Ｃ−ＲＵは、コアネットワーク機能をローカルにホストし得る。Ｃ−ＲＵは、分散型配置（distributed deployment）を有し得る。Ｃ−ＲＵは、ネットワークエッジの近くにあり得る。
【００５０】
[0060]  ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）、または同様のもの）をホストし得る。ＤＵは、無線周波数（ＲＦ）機能を有するネットワークのエッジに位置し得る。
【００５１】
[0061]  図４は、図１に図示されたＢＳ１１０およびＵＥ１２０のコンポーネントの例を図示し、これらは本開示の態様を実施するために使用され得る。上述されるように、ＢＳは、ＴＲＰを含み得る。ＢＳ１１０およびＢＳ１２０の１つまたは複数のコンポーネントは、本開示の態様を実施するために使用され得る。例えば、アンテナ４５２、Ｔｘ／Ｒｘ２２２、プロセッサ４６６、４５８、４６４、および／またはＵＥ１２０および／またはアンテナ４３４のコントローラ／プロセッサ４８０、プロセッサ４４０、４２０、４３８、および／またはＢＳ１１０のコントローラ／プロセッサ４４０が、本明細書で説明され、図８〜図９を参照して図示される動作を行うために使用され得る。
【００５２】
[0062]  図４は、図１におけるＢＳのうちの１つおよびＵＥのうちの１つであり得る、ＢＳ１１０およびＵＥ１２０の設計のブロック図を示す。制限付き関連付けシナリオの場合、基地局１１０は、図１中のマクロｅＮＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００５３】
[0063]  基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）などのためのものであり得る。データは、物理ダウンリンク共有チャネル（ＰＤＳＣＨ）などのためのものであり得る。プロセッサ４２０は、データシンボルと制御シンボルとをそれぞれ取得するために、データと制御情報とを処理（例えば、符号化およびシンボルマッピング）し得る。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を行い得、出力シンボルストリームを変調器（ＭＯＤ）４３２ａ〜４３２ｔに提供し得る。各変調器４３２は、（例えば、ＯＦＤＭなどの）出力サンプルストリームを取得するために、それぞれの出力シンボルストリームを処理し得る。各変調器４３２はさらに、ダウンリンク信号を取得するために、出力サンプルストリームを処理（例えば、アナログへの変換、増幅、フィルタ処理、およびアップコンバート）し得る。変調器４３２ａ〜４３２ｔからのダウンリンク信号は、それぞれアンテナ４３４ａ〜４３４ｔを介して送信され得る。
【００５４】
[0064]  ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに提供し得る。各復調器４５４は、入力サンプルを取得するために、それぞれの受信信号を調整（例えば、フィルタ処理、増幅、ダウンコンバート、およびデジタル化）し得る。各復調器４５４はさらに、受信シンボルを取得するために、（例えば、ＯＦＤＭなどの）入力サンプルを処理し得る。ＭＩＭＯ検出器４５６は、全ての復調器４５４ａ〜４５４ｒから受信シンボルを取得し、適用可能な場合は、受信シンボルに対してＭＩＭＯ検出を行い、検出シンボルを提供し得る。受信プロセッサ４５８は、検出シンボルを処理（例えば、復調、デインターリーブ、および復号）し、ＵＥ１２０の復号されたデータをデータシンク４６０に提供し、復号された制御情報をコントローラ／プロセッサ４８０に提供し得る。
【００５５】
[0065]  アップリンク上では、ＵＥ１２０において、送信プロセッサ４６４が、データソース４６２から（例えば、物理アップリンク共有チャネル（ＰＵＳＣＨ）のための）データを、コントローラ／プロセッサ４８０から（例えば、物理アップリンク制御チャネル（ＰＵＣＣＨ）のための）制御情報を、受信および処理し得る。送信プロセッサ４６４はまた、基準信号のための基準シンボルを生成し得る。送信プロセッサ４６４からのシンボルは、適用可能な場合、ＴＸ ＭＩＭＯプロセッサ４６６によってプリコーディングされ、さらに（例えば、ＳＣ−ＦＤＭなどのために）復調器４５４ａ〜４５４ｒによって処理され、基地局１１０に送信され得る。ＢＳ１１０において、ＵＥ１２０からのアップリンク信号は、ＵＥ１２０によって送られた復号されたデータおよび制御情報を取得するために、アンテナ４３４によって受信され、復調器４３２によって処理され、適用可能な場合はＭＩＭＯ検出器４３６によって検出され、さらに受信プロセッサ４３８によって処理され得る。受信プロセッサ４３８は、復号されたデータをデータシンク４３９に提供し、復号された制御情報をコントローラ／プロセッサ４４０に提供し得る。
【００５６】
[0066]  コントローラ／プロセッサ４４０および４８０は、それぞれ基地局１１０およびＵＥ１２０における動作を指示し得る。プロセッサ４４０および／または基地局１１０における他のプロセッサおよびモジュールはまた、例えば、図１２に図示された機能ブロック、および／または本明細書で説明される技法のための他の処理の実行を行うか、またはその実行を指示し得る。ＵＥ１２０におけるプロセッサ４８０および／または他のプロセッサとモジュールはまた、例えば、図１０〜図１１に例示される機能ブロック、および／または本明細書で説明する技法のための他の処理の実行を行うか、またはその実行を指示し得る。メモリ４４２および４８２は、それぞれＢＳ１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００５７】
[0067]  図５は、本開示の態様にしたがった、通信プロトコルスタックを実装するための例を示す図５００を図示する。図示された通信プロトコルスタックは、５Ｇシステム（例えば、アップリンクベースのモビリティをサポートするシステム）において動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、メディアアクセス制御（ＭＡＣ）レイヤ５２５、および物理（ＰＨＹ）レイヤ５３０を含む通信プロトコルスタックを図示する。様々な例では、プロトコルスタックのレイヤは、ソフトウェアの別個のモジュール、プロセッサまたはＡＳＩＣの一部分、通信リンクによって接続された非コロケートデバイス（non-collocated devices）の一部分、またはそれらの組み合わせとして実装され得る。コロケートされたおよびコロケートされていない実装は、例えば、ネットワークアクセスデバイス（例えば、ＡＮ、ＣＵ、および／またはＤＵ）、あるいはＵＥのためのプロトコルスタックにおいて使用され得る。
【００５８】
[0068]  第１のオプション５０５−ａは、プロトコルスタックの分割型の実装を示しており、このプロトコルスタックの実装は、集中型ネットワークアクセスデバイス（例えば、図２のＡＮＣ２０２）と分散型ネットワークアクセスデバイス（例えば、図２のＤＵ／ＴＲＰ２０８）との間で分割される。第１のオプション５０５−ａでは、ＲＲＣレイヤ５１０およびＰＤＣＰレイヤ５１５は集約ユニットによって実装され、ＲＬＣレイヤ５２０、ＭＡＣレイヤ５２５、およびＰＨＹレイヤ５３０はＤＵによって実装され得る。様々な例では、ＣＵおよびＤＵは、コロケートされるか、またはコロケートされていない可能性があり得る。第１のオプション５０５−ａは、マクロセル、マイクロセル、またはピコセル配置において有用であり得る。
【００５９】
[0069]  第２のオプション５０５−ｂは、プロトコルスタックの統合型の実装を示しており、このプロトコルスタックは、単一のネットワークアクセスデバイス（例えば、アクセスノード（ＡＮ）、新規の無線基地局（ＮＲ ＢＳ）、新規の無線ノードＢ（ＮＲ ＮＢ）、ネットワークノード（ＮＮ）、または同様のもの）によって実装される。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装される。第２のオプション５０５−ｂは、フェムトセルの配置において有用であり得る。
【００６０】
[0070]  ネットワークアクセスデバイスがプロトコルスタックの一部を実装するか、または全てを実装するかに関わらず、ＵＥは、全体のプロトコルスタック（例えば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００６１】
[0071]  図６は、ＤＬセントリックサブフレームの例を示す図６００である。ＤＬセントリックサブフレームは、制御部６０２を含み得る。制御部６０２は、ＤＬセントリックサブフレームの初期または開始部分に存在し得る。制御部６０２は、ＤＬセントリックサブフレームの様々な部分に対応する様々なスケジューリング情報および／または制御情報を含み得る。いくつかの構成では、制御部６０２は、図６で示されるように、物理ＤＬ制御チャネル（ＰＤＣＣＨ）であり得る。ＤＬセントリックサブフレームはまた、ＤＬデータ部６０４も含み得る。ＤＬデータ部６０４は、ＤＬセントリックサブフレームのペイロードと呼ばれることもある。ＤＬデータ部６０４は、スケジューリングエンティティ（例えば、ＵＥまたはＢＳ）から下位エンティティ（例えば、ＵＥ）へＤＬデータを通信するために利用される通信リソースを含み得る。いくつかの構成では、ＤＬデータ部６０４は、物理ＤＬ共有チャネル（ＰＤＳＣＨ）であり得る。
【００６２】
[0072]  ＤＬセントリックサブフレームはまた、共通ＵＬ部６０６を含み得る。共通ＵＬ部６０６は、ＵＬバースト、共通ＵＬバースト、および／または様々な他の適切な用語で呼ばれることもある。共通ＵＬ部６０６は、ＤＬセントリックサブフレームの様々な他の部分に対応するフィードバック情報を含み得る。例えば、共通ＵＬ部６０６は、制御部６０２に対応するフィードバック情報を含み得る。フィードバック情報の限定されない例は、ＡＣＫ信号、ＮＡＣＫ信号、ＨＡＲＱインジケータ、および／または様々な他の適切なタイプの情報を含み得る。共通ＵＬ部６０６は、ランダムアクセスチャネル（ＲＡＣＨ）プロシージャ、スケジューリング要求（ＳＲ：scheduling request）、および様々な他の適切なタイプの情報に関連する情報などの、追加的または代替的な情報を含み得る。図６に図示されるように、ＤＬデータ部６０４の終端は、共通ＵＬ部６０６の始端から時間的に分離され得る。この時間的分離は、ギャップ、ガード期間、ガードインターバル、および／または様々な他の適切な用語で呼ばれることもある。この分離は、ＤＬ通信（例えば、下位エンティティ（例えば、ＵＥ）による受信動作）から、ＵＬ通信（例えば、下位エンティティ（例えば、ＵＥ）による送信）への切り替えのための時間を提供する。前述のものが単にＤＬセントリックサブフレームの一例であり、また、同様の特徴を有する代替的構成が、本明細書で説明される態様から必ずしも逸脱せずに存在し得ることを、当業者は理解するだろう。
【００６３】
[0073]  図７は、ＵＬセントリックサブフレームの例を示す図７００である。ＵＬセントリックサブフレームは、制御部７０２を含み得る。制御部７０２は、ＵＬセントリックサブフレームの初期または開始部分に存在し得る。図７の制御部７０２は、図６に関連して上述された制御部と同様のものであり得る。ＵＬセントリックサブフレームはまた、ＵＬデータ部７０４も含み得る。ＵＬデータ部７０４は、ＵＬセントリックサブフレームのペイロードと呼ばれ得ることもある。ＵＬ部分は、スケジューリングエンティティ（例えば、ＵＥ）からスケジューリングエンティティ（例えば、ＵＥまたはＢＳ）へＵＬデータを通信するために利用される通信リソースを指し得る。いくつかの構成では、制御部７０２は、物理ＤＬ制御チャネル（ＰＤＣＣＨ）であり得る。
【００６４】
[0074]  図７に図示されるように、制御部７０２の終端は、ＵＬデータ部７０４の始まりから時間で分割され得る。この時間分離は、ギャップ、ガード期間、ガードインターバル、および／または様々な他の適切な用語で呼ばれることもある。この分離は、ＤＬ通信（例えば、スケジューリングエンティティによる受信動作）から、ＵＬ通信（例えば、スケジューリングエンティティによる送信）への切り替えのための時間を提供する。ＵＬセントリックサブフレームはまた、共通ＵＬ部７０６を含み得る。図７中の共通ＵＬ部７０６は、図７に関連して上述された共通ＵＬ部７０６と同様であり得る。共通ＵＬ部７０６は、追加的にまたは代替的に、チャネル品質インジケータ（ＣＱＩ）、サウンディング基準信号（ＳＲＳ）、および様々な他の適切なタイプの情報に関連する情報を含み得る。前述のものが単にＵＬセントリックサブフレームの一例であり、また、同様の特徴を有する代替的構成が、本明細書で説明される態様から必ずしも逸脱せずに存在し得ることを、当業者は理解するだろう。
【００６５】
[0075]  いくつかの状況では、２つ以上の下位エンティティ（例えば、ＵＥ）は、サイドリンク信号を使用して互いと通信し得る。このようなサイドリンク通信の現実世界のアプリケーションは、公共安全（public safety）、近接サービス、ＵＥからネットワークへの中継、車車間（Ｖ２Ｖ：vehicle-to-vehicle）通信、ＩｏＥ（Internet of Everything）通信、ＩｏＴ通信、ミッションクリティカルメッシュ、および／または様々な他の適切なアプリケーションを含み得る。概して、サイドリンク信号は、スケジューリングエンティティがスケジューリングおよび／または制御目的のために利用され得るとしても、スケジューリングエンティティ（例えば、ＵＥまたはＢＳ）を通してその通信を中継せずに、ある下位エンティティ（例えば、ＵＥ１）から別の下位エンティティ（例えば、ＵＥ２）に通信された信号を指し得る。いくつかの例では、サイドリンク信号は、（通常アンライセンススペクトルを使用する、ワイヤレスローカルエリアネットワークとは異なる）ライセンススペクトルを使用して通信され得る。
【００６６】
[0076]  ＵＥは、リソースの専用セット（例えば、無線リソース制御（ＲＲＣ）専用の状態など）を使用してパイロットを送信することに関連付けられた構成、またはリソースの共通セット（例えば、ＲＲＣ共通の状態など）を使用してパイロットを送信することに関連付けられた構成を含む、様々な無線リソース構成において動作し得る。ＲＲＣ専用の状態で動作しているとき、ＵＥは、ネットワークにパイロット信号を送信するためのリソースの専用セットを選択し得る。ＲＲＣ共通状態で動作しているとき、ＵＥは、ネットワークにパイロット信号を送信するためにリソースの共通セットを選択し得る。いずれの場合にも、ＵＥによって送信されるパイロット信号は、ＡＮ、またはＤＵ、またはそれらの一部分などの１つまたは複数のネットワークアクセスデバイスによって受信され得る。各受信ネットワークアクセスデバイスは、リソースの共通セット上で送信されるパイロット信号を受信および測定し、また、ネットワークアクセスデバイスがＵＥのためのネットワークアクセスデバイスのモニタリングセットのメンバであるＵＥに割り振られるリソースの専用セット上で送信されるパイロット信号を受信および測定するように構成され得る。受信ネットワークアクセスデバイスがパイロット信号の測定を送信するＣＵ、または受信ネットワークアクセスデバイスのうちの１つまたは複数は、ＵＥのためのサービングセルを識別するために、あるいは、ＵＥの１つまたは複数についてのサービングセルの変更を開始するために測定を使用し得る。  
【００６７】
＜接続におけるベアラ制限の例＞
[0077]  ＬＴＥ／ＮＲでは、ユーザ機器と基地局（例えば、ｅＮＢ／ｇＮＢ）との間の無線接続を確立するためのアタッチメントプロシージャ（attachment procedure）中、ＵＥに割り当てられた全てのインターネットプロトコル（ＩＰ）ベアラおよびそれらに関連付けられた無線ベアラ（本明細書では、集合的に「ベアラ」と呼ばれる）は、接続において所与の特定のベアラが使用されるかどうかの事実とは関係なく、起動／アクティベートされる（brought up/activated）。
【００６８】
[0078]  いくつかのケースでは、ＵＥは、所与の時間におけるベアラの最大のセットをサポートすることを要求され得る。追加のベアラが要求された場合、ＵＥは、追加で要求されたベアラを収容（accommodate）するために、特定のベアラをリリース（例えば、これらのベアラのコンテキストをリリース）しなければならない可能性がある。リリースされたベアラがＵＥによって後に必要とされる場合、ＵＥは、これら前にリリースされたベアラを（例えば、これらのベアラについてのコンテキストを確立することによって）再度起動しなければならず、それは、時間およびネットワークリソースを消耗する。
【００６９】
[0079]  加えて、ｅＮＢ／ｇＮＢは、リアルタイムで従事することをＵＥが希望しているという、（例えば、起動されたベアラに対応する）アクティブなトラフィックタイプでトラフィックを送信しようとするＵＥの意向を「知らない」可能性がある。ｅＮＢ／ｇＮＢからのＤＬ上で予期されたトラフィックのタイプをＵＥが知らないことで、これと同じ問題が逆も同様に存在する。よって、所与の時間においてどのタイプのトラフィックを予期するかの知識がないことは、無線接続のタイムリーなリリースおよびベアラごとの接続モード間欠受信（ＣＤＲＸ）パラメータ設定のように達成されることができる、起こり得る無線最適化を妨げる。よって、トラフィックタイプに基づくより細かいベアラ分類は、ベストエフォート型インターネットタイプトラフィック内でさえ、例えば、無線接続を確立または使用するときにリソース消費の量を低減するために、ベアラベースでＣＤＲＸパラメータおよびリリース時間を有利に設定することなどの、より良い無線レベル最適化を可能にし得る。いくつかのケースでは、これは、送信される必要があるトラフィックのタイプに基づいて、（例えば、コンテキストをリリースすることなく）選択的にベアラをアクティベートおよびデアクティベートすることを含み得る。
【００７０】
[0080]  図８は、ネットワーク（例えば、ワイヤレスネットワーク）中の通信のための、例えば、特定の無線接続中に起動される必要があるベアラを制限するための、例示的な動作８００を図示する。特定の態様によると、動作８００は、例えば、ユーザ機器（例えば、ＵＥ１２０）によって行われ得る。
【００７１】
[0081]  複数の態様によると、ＵＥは、本明細書で説明される動作を行うように構成され得る、図４に図示されるような１つまたは複数のコンポーネントを含み得る。例えば、図４に図示されるような、アンテナ４５２、復調器／変調器４５４、コントローラ／プロセッサ４８０、および／またはメモリ４８２は、本明細書で説明される動作を行い得る。
【００７２】
[0082]  動作８００は、ネットワークと通信するために１つまたは複数の無線ベアラを構成することによって、８０２で開始する。８０４において、ＵＥは、１つまたは複数の無線ベアラのうちの少なくとも１つの無線ベアラに関連付けられたデータが送信される必要があると決定する。８０６において、ＵＥは、少なくとも１つの無線ベアラに関連付けられたデータが送信される必要があるとの決定に基づいて、少なくとも１つの無線ベアラを選択的にアクティベートする。８０６において、ＵＥは、少なくとも１つのアクティベートされた無線ベアラ上でデータを送信する。
【００７３】
[0083]  図９は、ネットワーク中の通信（例えば、ワイヤレスネットワーク）のための、例えば、特定の無線接続中に起動される必要があるベアラを制限するための、例示的な動作９００を図示する。特定の態様によると、動作９００は、例えば、基地局（例えば、ＢＳ１１０）によって行われ得る。
【００７４】
[0084]  複数の態様によると、基地局は、本明細書で説明される動作を行うように構成され得る、図４に図示されるような１つまたは複数のコンポーネントを含み得る。例えば、図４に図示されるような、アンテナ４３４、復調器／変調器４３２、コントローラ／プロセッサ４４０、および／またはメモリ４４２は、本明細書で説明される動作を行い得る。
【００７５】
[0085]  動作９００は、ネットワークとの通信のためにユーザ機器（ＵＥ）において１つまたは複数の無線ベアラを構成することによって、９０２で開始する。９０４において、ＢＳは、１つまたは複数の無線ベアラのうちの少なくとも１つの無線ベアラに関連付けられたデータが送信される必要があると決定する。９０６において、ＢＳは、少なくとも１つの無線ベアラに関連付けられたデータが送信される必要があるとの決定に基づいて、少なくとも１つの無線ベアラを選択的にアクティベートする。９０８において、ＢＳは、少なくとも１つのアクティベートされた無線ベアラ上でデータを送信することまたは受信することのうちの少なくとも１つを行う。
【００７６】
[0086]  記載されているように、本開示の態様は、現在アクティブなサービスタイプ（例えば、アプリケーションＩＤ／フローＩＤに基づくトラフィックタイプ）を反映するために、ベアラごとにＣＤＲＸパラメータおよび接続リリースタイマを設定することを可能にするための技法を提示する。よって、構成されたベアラのいずれがＲＲＣ接続セットアッププロシージャを用いて起動される（すなわち、アクティベートされる）必要があるかをＵＥおよびｅＮＢ／ｇＮＢにネゴシエートさせることは、ＣＤＲＸパラメータおよび接続リリースタイマを選択するプロセスで大きな助けとなる。
【００７７】
[0087]  これら態様によると、ＵＥにおけるＣＤＲＸタイムラインの挙動は、トラフィックタイプをまねる（mimics）均一化されていない時間インターバル（例えば、それ自体のＣＤＲＸパラメータを有する各無線ベアラ）を可能にするように変更されることができる。例えば、ＣＤＲＸパラメータは、特定のトラフィックタイプに対応する所与のベアラが休眠状態になり得るように、構成されたベアラごとに異なって設定され得る。例えば、特定のトラフィックタイプに対応する所与のベアラは、ＵＥ／ｅＮＢ／ｇＮＢがその特定のタイプのトラフィックを送信／受信することを終了するときに、デアクティベートされ得る。これら態様によると、このベアラデアクティベーションは、必要に応じた後続の再アクティベーションのために所与のベアラに関するコンテキスト（例えば、ＱｏＳフローコンテキストおよび／またはＰＤＵセッションコンテキスト）をリリースすることなく、有利に行われる。
【００７８】
[0088]  例えば、いくつかのケースでは、ＵＥは、第１のタイプのトラフィックが送信される必要があることを決定し得る。ＵＥは次いで、（例えば、基地局とのネゴシエーション処理に基づいて）トラフィックの第１のタイプに対応する無線ベアラを選択的にアクティベートし得る。例えば、ＵＥは、第１のタイプに対応する無線ベアラ上でＵＥが第１のタイプのトラフィックを送る必要があることを示す要求（例えば、メディアアクセス制御（ＭＡＣ）制御エレメント、無線リソース制御（ＲＲＣ）制御シグナリングなど）を、基地局に送信し得る。ＵＥは次いで、第１のタイプに対応する無線ベアラをアクティベートすること、およびトラフィックを送信することをＵＥに指示する応答（例えば、別のＭＡＣ制御エレメント、ＲＲＣ制御シグナリングなど）を、基地局から受信し得る。ＵＥは次いで、アクティベートされた無線ベアラ上で、トラフィック／データを送信し得る。これら態様によると、一旦ＵＥがトラフィックを送信するのを終了すると、アクティベートされた無線ベアラは、例えば、特定のパラメータ（例えば、ＣＤＲＸパラメータ、無線ベアラリリースタイマ、無線リソース制御（ＲＲＣ）接続リリースタイマなど）にしたがって、デアクティベートされ得る。さらに、説明されるように、無線ベアラは、その無線ベアラのためのコンテキストをリリースすることなくデアクティベートされ得る。この処理を図示する詳細なコールフローが図１０に示され得る。
【００７９】
[0089]  例えば、記載されるように、図１０は、本明細書で提示される態様にしたがって、無線ベアラを選択的にアクティベートおよびデアクティベートする処理を図示するコールフローである。
【００８０】
[0090]  例えば、ステップ１において、ＵＥは、ネットワークにコンタクトし、セットアップされるべきＲＲＣ接続を要求するために、（例えば、ランダムアクセスプリアンブルを送信することによって）ランダムアクセスプロシージャを開始する。
【００８１】
[0091]  ステップ２において、ｅＮＢ／ｇＮＢは、ランダムアクセス応答を送信することにより、ＵＥによって送信されたランダムアクセスプリアンブルに応答し得る。
【００８２】
[0092]  ステップ３において、そのランダムアクセス応答に応答して、ＵＥは、現在アクティブであるトラフィックフローを示すRRCConnectionRequestメッセージをｅＮＢ／ｇＮＢに送信し得る。
【００８３】
[0093]  ステップ４において、ｅＮＢ／ｇＮＢは、現在アクティブなトラフィックフローに対応する接続セットアップリソースを示すRRCConnectionSetupメッセージをＵＥに送信し得る。
【００８４】
[0094]  ステップ５において、ＵＥは、ｅＮＢ／ｇＮＢにRRCConnectionSetupCompleteメッセージを送信することによって、ｅＮＢ／ｇＮＢから受信されたRRCConnectionSetupメッセージを確認応答（acknowledge）し得る。
【００８５】
[0095]  ステップ６において、ｅＮＢ／ｇＮＢは、現在アクティブであるトラフィックフローを示す情報を（発展型パケットコア中の）ＭＭＥ／（５Ｇコア中の）ＡＭＦに提供し得る。
【００８６】
[0096]  ステップ７において、ｅＮＢ／ｇＮＢによって提供された情報に応答して、ＭＭＥは、アクティベートされたフローを確認応答するActivateBearersResponseメッセージを送信することによって応答する。
【００８７】
[0097]  ステップ８において、ｅＮＢ／ｇＮＢは、アクティベートされたフローを示すメッセージをＵＥに送信する。例えば、図示されるように、ステップ８において、ｅＮＢ／ｇＮＢは、アクティベートされたフローを示すRRCConnectionReconfigurationメッセージをＵＥに送信する。
【００８８】
[0098]  ステップ９において、ＵＥは、フローがアクティベートされたことを確認応答する確認応答（例えば、RRCConnectionReconfigurationCompleteメッセージ）をｅＮＢ／ｇＮＢに送信する。
【００８９】
[0099]  ステップ１０において、コールにおいて後に（例えば、特定のフローがアクティベート／デアクティベートされる必要があるとき）、ＵＥは、どのフローがアクティベート／デアクティベートされるかを示すために、トラフィック状況が変化したとき、ネットワークに情報を提供するための媒体アクセス制御（ＭＡＣ）制御エレメント（ＣＥ）を使用する。例えば、図示されるように、ステップ１０において、ＵＥは、どのフローがアクティベート／デアクティベートされるかを示すＭＡＣ ＣＥをｅＮＢ／ｇＮＢに送信する。
【００９０】
[0100]  ステップ１１において、ｅＮＢ／ｇＮＢは、例えば、ＵＥによって送信されたＭＡＣ ＣＥ中で示されたフローに対応する、アクティベートされたままのフローの新規のセットであるインジケーション（例えば、RRCReconfigurationメッセージ）をＵＥに送信し得る。したがって、図示されていないが、ｅＮＢ／ｇＮＢは、（例えば、ＵＥによって送信されたＭＡＣ ＣＥに対応する）アクティベート／デアクティベートされたフローをＭＭＥに通知する（例えば、ステップ９において送信されたメッセージと類似した）メッセージを送信し得る。加えて、図示されていないが、ＵＥは、RRCReconfigurationメッセージに応答して、確認応答メッセージを送信し得る。
【００９１】
[0101]  態様によると、いくつかのケースでは、ネットワークは、フローのアクティベーション／デアクティベーションを開始し得る。例えば、ステップ１２に図示されるように、ネットワーク（例えば、ｅＮＢ／ｇＮＢ）は、アクティベート／デアクティベートされている特定のフローをＵＥに示す、ＭＡＣ ＣＥを送信し得る。加えて、図示されていないが、ｅＮＢ／ｇＮＢは、アクティベート／デアクティベートされたフローを示すメッセージ（例えば、ステップ７と同様に）をＭＭＥに送信し得る。
【００９２】
[0102]  ステップ１３において、ＵＥは、アクティベート／デアクティベートされている特定のフローを確認応答するRRCConnectionReconfigurationCompleteメッセージをｅＮＢ／ｇＮＢに送信し得る。上述されるように、フローをデアクティベートすることは、デアクティベートされたフローに関連付けられた無線ベアラのためのコンテキストを失うことなく行われ得る。
【００９３】
[0103]  態様によると、ステップ１４において、ネットワークは、異なるアクティベートされたフローのアクティビティに基づいて、接続のリリースを開始し得る。例えば、態様によると、アクティベートされたフローに関連付けられたアクティビティおよび非アクティビティタイマに基づいて、ネットワークは接続リリースを開始し、リリースされている無線ベアラ（アクティベートされたフローに対応する）を示すRRCConnectionReleaseメッセージをＵＥに送信し得る。態様によると、いくつかのケースでは、非アクティビティタイマおよびＣＤＲＸパラメータは、過去にアクティブだったフローに依存し得る。
【００９４】
[0104]  いくつかのケースでは、ベアラを選択的にアクティベートすることは、ベアラのためのスケジューリング要求を送信することを備え得る。例えば、ＵＥは、そのＵＥが第１の無線ベアラに対応するトラフィックの第１のタイプを送信する必要があることを決定し得る。ＵＥは、サービング基地局に、第１の無線ベアラにおけるトラフィックの第１のタイプを送信することを要求するスケジューリング要求を送信し得る。ＵＥは次いで、第１のベアラをアクティベートすることをＵＥに指示し、トラフィックの第１のタイプを送信するためにＵＥに割り当てられたリソース（例えば、リソース許可）を示す、基地局からのシグナリングを受信し得る。
【００９５】
[0105]  さらに、いくつかのケースでは、ベアラを選択的にアクティベートすることは、無線ベアラをアクティベートすることをＵＥに指示するシグナリングをネットワークから受信することを備え得る。そのシグナリングに応答して、ＵＥは、ベアラをアクティベートし得る。加えて、いくつかのケースでは、ネットワークから受信されたこのシグナリングは、物理ダウンリンク制御チャネル（ＰＤＣＣＨ）上で受信され得、少なくとも１つの無線ベアラをアクティベートするための特定のインジケーション、または少なくとも１つの無線ベアラのためのスケジューリング許可のうちの１つを備え得る。
【００９６】
[0106]  特定の態様によると、ベアラを選択的にアクティベートすることは、ＵＥが少なくとも１つの無線ベアラに関連付けられたステータスレポートを送信することを備え得る。態様によると、ステータスレポートは、パケットデータコンバージェンスプロトコル（ＰＤＣＰ）メッセージまたは無線リンク接続（ＲＬＣ）アクティベートベアラメッセージのうちの１つを備え得る。加えて、いくつかのケースでは、ステータスレポートは、アクティベートされるべきベアラ上のＵＥによって送信され得る。
【００９７】
[0107]  ある特定の態様によると、これらの無線ベアラのためのコンテキストをリリースすることなく無線ベアラがデアクティベートされることを可能にすることによって、サポートされるべきより多くの個々のトラフィックフローを可能にする。特定の態様によると、コンテキストをリリースすることなく無線ベアラをデアクティベートすることは、両方の末端部（ＵＥおよびｅＮＢ／ｇＮＢ）が全てのベアラとの関係を絶つ（done with）ときに特に有用となり、無線接続は、即座にリリースされることができる。例えば、現在、ボイスオーバーロングタームエボリューション（ＶｏＬＴＥ）／ボイスオーバー新規無線（ＶｏＮＲ）コールが終了されるとき、ＵＥは、ネットワークがそれらの接続をリリースするまで、チャネル上に残存し得る。ＵＥによるチャネル上のこの残存は、ＲＲＣ接続に再度ＵＥを戻すための追加のシグナリングを防ぐために行われ得る。態様によると、両方の末端部（例えば、ＵＥおよびＢＳ）が（例えば、無線ベアラに対応する）無線接続上で継続している他のアクティビティが存在しないことを知っているとき、それは、無線接続がいつリリースされることができるか、および無線ベアラがいつデアクティベートされることができるかを、ネットワークが決定することをより容易にする。
【００９８】
[0108]  いくつかのケースでは、上述されるように、アクティブなトラフィックタイプに基づいて、ネットワークもまた、接続をリリースするために異なる非アクティビティタイマ値を用い得る。態様によると、このメカニズムは、多くの詳細を通信する必要なしに、現在のユーザのアクションに関して、ＵＥがｅＮＢ／ｇＮＢに情報を報告することを可能にする。例えば、インターネットバーストは、有限の持続期間、並びに、ＵＥを接続状態にし続け、無線リソースを消費し、接続をリリースおよび回復させるシステム上で引き起こされる負荷とそれを比較したトレードオフの後に発生し得る。いくつかのケースでは、ネットワークは、接続がリリースされる前に、インターネットトラフィックに関してアクティブでない１０秒の間、待機する傾向があり得る。ＶｏＬＴＥに関して、専用のＱｏＳベアラが削除されたときにコールが行われ得、非アクティビティタイマの間待機することなく無線接続がリリースされ得る。
【００９９】
[0109]  ある特定の態様によると、ベストエフォートフローを提供され得るＱｏＳのタイプは、トラフィックタイプに依存し得、それは、ＵＥに提供する必要があるＱｏＳ保証をｅＮＢ／ｇＮＢがより正確に測定する（better gauge）ことを可能にする。態様によると、フローのタイプの分類は、規格において指定されることができる。コアネットワークが（例えば、規格に基づいて）ユーザに提供されるべきサービスのグレードをベストエフォート（例えば、ゴールド／シルバー／ブロンズレベル）で提供している間、ｅＮＢ／ｇＮＢは、リアルタイムの動作がより良好となり得、体験したトラフィックタイプに基づいてより適切なＱｏＳを提供する。
【０１００】
[0110]  さらに、いくつかのケースでは、ＵＥは、少なくとも１つの無線ベアラのためのサービス品質（ＱｏＳ）またはサービスグレード（ＧｏＳ）割り当てのうちの少なくとも１つを受信し得、ここで、ＱｏＳおよびＧｏＳ割り当ては、少なくとも１つのアクティベートされた無線ベアラ上のダウンリンクトラフィックおよびアップリンクトラフィックに関する保証されたビットレートの少なくとも１つのインジケーションを備える。いくつかのケースでは、ＵＥは、少なくとも１つのアクティベートされた無線ベアラ上のダウンリンクトラフィックおよびアップリンクトラフィックに関する遅延のインジケーションを受信し得る。いくつかのケースでは、ＵＥは、少なくとも１つのアクティベートされた無線ベアラのためのダウンリンクおよびアップリンク上のピークエラーレート（ＰＥＲ：peak error rate）のインジケーションを受信し得る。
【０１０１】
[0111]  態様によると、ＵＥからの追加の情報（例えば、サービスタイプ、スループット／遅延要求、トラフィックバースト性パターン、サービスグレードの予測など）を備えて、ｅＮＢ／ｇＮＢは、フローのために要求されるビットレートにアクセスすることができ、現在の混雑に基づいて、提供されることができるビットレートが基地局によって決定されることができる。ｅＮＢ／ｇＮＢが所与のベアラのための瞬間的なビットレート（instantaneous bitrate）を提供することができる、新規で追加された特徴を用いて、継続中のトラフィックタイプを良く理解することは、ＵＥに提供されることができるスループット保証におけるより良い推測を提供し得る。これは、ＵＥが、現在のネットワーク上での経験の観点から予測するものにより良くアクセスすることを可能にする。いくつかのケースでは、所与のベアラのためのビットレートは、わずかに増加した遅延をもたらし得るデアクティベートされたベアラを再アクティベートすることを、ＵＥおよびｅＮＢ／ｇＮＢに要求し得る。これが（例えば、特定の無線ベアラをアクティベートするための）アクティベーションプロシージャの始まりであると仮定すると、このアクティベーションは、ＭＡＣ制御エレメントおよび／またはＲＲＣシグナリング（例えば、ＶｏＩＰコール開始／終了などのフロー情報の変更が長期間である場合）を通じて行われることができる。このプロシージャ（例えば、関連付けられたパラメータに沿って、ＵＥとｅＮＢ／ｇＮＢとの間で交換された情報を使用するトラフィックフローのアクティベーション／デアクティベーション）は、ＵＥとｅＮＢ／ｇＮＢとの両方から行われ得る。ＭＡＣ制御エレメントの使用で、アクティベーション処理は、最小に低減される（brought down）ことができる。
【０１０２】
[0112]  いくつかのケースでは、上記で説明された態様はまた、二重接続（ＤＣ：dual connectivity）にも適用され得る。例えば、マスタ制御グループ（ＭＣＧ：master control group）およびスレーブ制御グループ（ＳＣＧ：slave control group）を用いたＤＣ（ＭＣＧ＋ＳＣＧ＝｛ＬＴＥ＋ＮＲ ｏｒ ＮＲ（Ｓｕｂ−６）＋ＮＲ（ｍｍＷａｖｅ）｝）では、特定のＩＰベアラに関連付けられた無線ベアラは、ＵＥがＲＲＣ接続にあるとき、デアクティベートされた状態で構成および維持されることができる。態様によると、ＤＣを用いて、無線ベアラ自体が（１）ＭＣＧ、（２）ＳＣＧ、または（３）ＭＣＧとＳＣＧの両方（別個のベアラ）を指示することができる。これらの構成の各々を用いて、基地局によって送信されたＭＡＣ制御エレメントは、例えば、上述されるようなＵＥにおけるベアラをアクティベート／デアクティベートするために使用されることができる。具体的には、オプション３（例えば、ＭＣＧおよびＳＣＧ）、並びに、ＭＣＧおよびＳＣＧの両方を指示する別個のベアラを用いて、ＭＡＣ制御エレメントは、無線ベアラ（ＭＣＧまたはＳＣＧ）あるいは両方（ＭＣＧおよびＳＣＧ）のうちの１つのみをアクティベートするために使用され得る。
【０１０３】
[0113]  本明細書に開示されている方法は、説明された方法を達成するための１つまたは複数のステップまたはアクションを備える。方法のステップおよび／またはアクションは、特許請求の範囲から逸脱することなく、互いに置き換えられ得る。言い換えると、ステップまたはアクションの特定の順序が指定されない限り、特定のステップおよび／またはアクションの順序および／または使用は、本願の特許請求の範囲から逸脱せずに修正され得る。
【０１０４】
[0114]  本明細書で使用されるとき、項目のリスト「のうちの少なくとも１つ」を示すフレーズは、単一の要素を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに同じ要素の繰り返しとの任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの他の任意の順序）をカバーすることを意図する。
【０１０５】
[0115]  本明細書で使用される場合、「決定すること」という用語は、幅広いアクションを含む。例えば、「決定すること」は、算出すること、計算すること、処理すること、導出すること、調査すること、ルックアップすること（例えば、表、データベースまたは別のデータ構造においてルックアップすること）、確認することなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。以上の説明は、当業者が本明細書で説明した様々な態様を実行できるようにするために提供したものである。これらの態様に対する様々な修正は当業者には容易に明らかであり、本明細書で定義した一般的原理は他の態様に適用され得る。よって、請求項は、本明細書に示された態様に限定されるものではなく、請求項の文言に矛盾しない最大限の範囲を提供されるべきであり、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素の全ての構造的および機能的均等物は、参照により本明細書に明確に組み込まれ、請求項に包含されるものである。さらに、本明細書に開示したいかなることも、このような開示が特許請求の範囲に明示的に記載されているかどうかに関わらず、公衆に献呈するものではない。請求項のどの要素も、その要素が明確に「〜のための手段」というフレーズを使用して記載されていない限り、または、方法の請求項の場合には、その要素が「〜するためのステップ」というフレーズを使用して記載されていない限り、米国特許法第１１２条６項の規定のもとで解釈されるべきではない。
【０１０６】
[0117]  上述された方法の様々な動作は、対応する機能を行うことができる任意の適切な手段によって行われ得る。手段は、回路、特定用途向け集積回路（ＡＳＩＣ）、またはプロセッサを含むがそれらに限定されない、様々なハードウェアおよび／またはソフトウェアコンポーネントおよび／またはモジュールを含み得る。一般に、図に示された動作がある場合、それらの動作は、同様の番号をもつ対応するもう一方のミーンズプラスファンクション構成要素を有し得る。
【０１０７】
[0118]  例えば、送信するための手段および／または受信するための手段は、送信プロセッサ４２０、ＴＸ ＭＩＭＯプロセッサ４３０、受信プロセッサ４３８、または基地局１１０および／または送信プロセッサ４６４のアンテナ４３４、ＴＸ ＭＩＭＯプロセッサ４６６、受信プロセッサ４５８、またはユーザ機器１２０のアンテナ４５２のうちの１つまたは複数を備え得る。加えて、決定するための手段、構成するための手段、選択的にアクティベートするための手段、および／またはデアクティベートするための手段は、基地局１１０のコントローラ／プロセッサ４４０、および／またはユーザ機器１２０のコントローラ／プロセッサ４８０などの１つまたは複数のプロセッサを備え得る。
【０１０８】
[0119]  本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を行うように設計されたそれらの任意の組み合わせを用いて実装または行われ得る。汎用プロセッサはマイクロプロセッサであり得るが、代替的に、プロセッサは、任意の商用プロセッサ、コントローラ、マイクロコントローラ、またはステートマシンであり得る。プロセッサはまた、コンピューティングデバイスの組み合せ、例えば、ＤＳＰとマイクロプロセッサとの組み合せ、複数のマイクロプロセッサ、ＤＳＰコアと連携する１つまたは複数のマイクロプロセッサ、あるいは任意の他のそのような構成として実装され得る。
【０１０９】
[0120]  ハードウェアで実装される場合、例となるハードウェア構成は、ワイヤレスノード中の処理システムを備え得る。処理システムは、バスアーキテクチャを用いて実装され得る。バスは、処理システムの特定の用途と全体的な設計の制約に依存して、任意の数の相互接続バスおよびブリッジを含み得る。バスは、プロセッサ、機械可読媒体、およびバスインターフェースを含む様々な回路を共にリンクさせ得る。バスインターフェースは、特に、バスを介してネットワークアダプタを処理システムに接続するために使用され得る。このネットワークア用さダプタは、ＰＨＹレイヤの信号処理機能を実装するために使用され得る。ユーザ機器１２０（図１を参照）のケースでは、ユーザインターフェース（例えば、キーパッド、ディスプレイ、マウス、ジョイスティックなど）もまた、バスに接続され得る。バスはまた、タイミングソース、周辺機器、電圧レギュレータ、電力管理回路などのような様々な他の回路もリンクさせ得、これらは、当該技術分野において周知であり、したがってこれ以上説明されない。プロセッサは、１つまたは複数の汎用および／または特殊用途プロセッサで実装され得る。例は、ソフトウェアを実行することができるマイクロプロセッサ、マイクロコントローラ、ＤＳＰプロセッサ、および他の回路を含む。当業者は、システム全体に課された特定の用途および全体的な設計の制約に依存して、処理システムについて説明された機能をどのように実装することが最善かを認識するだろう。
【０１１０】
[0121]  ソフトウェアで実装される場合、これら機能は、コンピュータ可読媒体上で、１つまたは複数の命令またはコードを介して送信または記憶され得る。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組み合わせを意味するものとして広く解釈されるべきである。コンピューログラタ可読媒体は、ある場所から別の場所へのコンピュータプムの転送を容易にする任意の媒体を含む、コンピュータ記憶媒体とコンピュータ通信媒体の両方を含む。プロセッサは、バスの管理と、機械可読記憶媒体に記憶されたソフトウェアモジュールの実行を含む汎用処理とを担い得る。コンピュータ可読記憶媒体は、プロセッサが記憶媒体から情報を読み取り、記憶媒体に情報を書き込むことができるように、プロセッサに結合され得る。代替として、記憶媒体はプロセッサに一体化され得る。例として、機械可読媒体は、送信線、データによって変調されたキ有するコンピュータ可読記憶媒体を含み得るャリア、および／またはワイヤレスノードとは別個に記憶された命令をが、それらは全てバスインターフェースを介してプロセッサによってアクセスされ得る。代替的にまたは追加的に、機械可読媒体、またはそのうちの任意の部分は、キャッシュおよび／または汎用レジスタファイルが用いられ得るようなケースに、プロセッサに組み込まれ得る。機械可読記憶媒体の例は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、または任意の他の適切な記憶媒体、またはそれらの任意の組み合わせを含み得る。機械可読媒体は、コンピュータプログラム製品に組み込まれ得る。
【０１１１】
[0122]  ソフトウェアモジュールは、単一の命令または多数の命令を備え得、いくつかの異なるコードセグメントにわたって、異なるプログラム間で、および複数の記憶媒体にわたって、分散され得る。コンピュータ可読媒体は、いくつかのソフトウェアモジュールを備え得る。ソフトウェアモジュールは、プロセッサのような装置によって実行されるとき、様々な機能を処理システムに実行させる命令を含む。ソフトウェアモジュールは、送信モジュールと受信モジュールとを含み得る。各ソフトウェアモジュールは、単一の記憶デバイスに存在するか、または複数の記憶デバイスにわたって分散され得る。例として、ソフトウェアモジュールは、トリガイベントが生じたとき、ハードドライブからＲＡＭにロードされ得る。ソフトウェアモジュールの実行中、プロセッサは、アクセススピードを上げるために、命令のうちのいくつかをキャッシュにロードし得る。１つまたは複数のキャッシュラインは次いで、プロセッサによる実行のために、汎用レジスタファイルにロードされ得る。以下でソフトウェアモジュールの機能に言及するとき、そのような機能は、ソフトウェアモジュールからの命令を実行するとき、プロセッサによって実施されることが理解されるであろう。
【０１１２】
[0123]  また、任意の接続は、厳密にはコンピュータ可読媒体と呼ばれ得る。例えば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびＢｌｕ−ｒａｙ（登録商標）ディスクを含み、ディスク（disks）は、通常、データを磁気的に再生し、ディスク（discs）は、データをレーザで光学的に再生する。よって、いくつかの態様では、コンピュータ可読媒体は、非一時的なコンピュータ可読媒体（例えば、有体媒体）を備え得る。さらに、他の態様では、コンピュータ可読媒体は、一時的なコンピュータ読取可能な媒体（例えば、信号）を備え得る。上記の組み合わせもまた、コンピュータ可読媒体の範囲内に含めるべきである。
【０１１３】
[0124]  よって、ある特定の態様は、本明細書において提示された動作を行うためのコンピュータプログラム製品を備え得る。例えば、このようなコンピュータプログラム製品は、記憶された（および／またはエンコードされた）命令を有するコンピュータ可読媒体を備え得、その命令は、本明細書に記載された動作を行うために１つまたは複数のプロセッサによって実行可能である。例えば、動作を行うための命令が本明細書で説明され、図８〜図９で図示された。
【０１１４】
[0125]  さらに、本明細書で説明された方法および技法を行うためのモジュールおよび／または他の適切な手段が、ダウンロードされることができること、および／または、そうでなければ、ユーザ端末および／または基地局によって、適切に取得され得ることが理解されるべきである。例えば、このようなデバイスは、本明細書で説明される方法を行うための手段の転送を容易にするためにサーバに結合され得る。代替的に、本明細書で説明される様々な方法は、ユーザ端末および／または基地局が、デバイスに記憶手段を結合または提供する際に様々な方法を取得し得るように、記憶手段（例えば、ＲＡＭ、ＲＯＭ、コンパクトディスク（ＣＤ）またはフロッピーディスクのような物理記憶媒体など）を介して提供され得る。さらに、本明細書で説明される方法および技法をデバイスに提供するために、任意の他の適切な技法が利用され得る。
【０１１５】
[0126]  請求項は、上記に例示されたとおりの構成および構成要素に限定されないことが理解されるべきである。本願の特許請求の範囲から逸脱することなく、様々な変更、交換、および変形が、上述された方法および装置の配置、動作、および細部に対して行われ得る。
【図１】
2020511862.tif 000003
【図２】
2020511862.tif 000004
【図３】
2020511862.tif 000005
【図４】
2020511862.tif 000006
【図５】
2020511862.tif 000007
【図６】
2020511862.tif 000008
【図７】
2020511862.tif 000009
【図８】
2020511862.tif 000010
【図９】
2020511862.tif 000011
【図１０】
2020511862.tif 000012
【国際調査報告】
2020511862.tif 000013
2020511862.tif 000014
2020511862.tif 000015